(57)【要約】【課題】複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信システム及びその受信装置を提供する。【解決手段】本発明のＳＴＬ／ＴＴＬ回線用送信システムは、所定のセグメント形式の放送ＴＳのＴＳＰカウンタ値を監視し、伝送パラメータに応じて所定のＴＳＰカウンタ値のヌルパケットを削除することにより圧縮放送ＴＳを生成し、圧縮放送ＴＳとデータ圧縮を施していない放送ＴＳとを連結し連結合成ＴＳを生成して外部に送信するＳＴＬ／ＴＴＬ回線用送信装置１と、当該データ圧縮を施す前に第１付加情報を多重し、当該データ圧縮を施した後に第２付加情報を多重する付加情報挿入制御装置８とを備える。ＳＴＬ／ＴＴＬ回線用受信装置１０は、当該連結合成ＴＳを分離し、当該圧縮放送ＴＳを伸長して元の放送ＴＳを復元する。【選択図】図１
2014103476.tif 000002
【特許請求の範囲】
【請求項１】
複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信システムであって、
当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施した圧縮放送ＴＳを生成し、圧縮放送ＴＳとデータ圧縮を施していない放送ＴＳとを連結し連結合成ＴＳを生成し、前記連結合成ＴＳに対して予め定められた伝送路符号化を施してＳＴＬ／ＴＴＬ回線にて外部に送信するＳＴＬ／ＴＴＬ回線用送信手段と、
当該放送ＴＳのＴＳＰに関する付加情報を第１付加情報とし、各事業者によって随時変更される情報とＩＩＰで伝送される付加情報を第２付加情報として分類しておき、当該圧縮放送ＴＳに関してデータ圧縮を施す前に前記第１付加情報を圧縮対象の放送ＴＳに多重し、当該データ圧縮を施した後に前記第２付加情報を当該圧縮放送ＴＳに多重する付加情報挿入制御手段と、
を備えることを特徴とする、ＳＴＬ／ＴＴＬ回線用送信システム。
【請求項２】
前記ＳＴＬ／ＴＴＬ回線用送信手段は、前記複数種のセグメント形式の放送ＴＳに多重する付加情報のうち連結送信に関する情報として分類された第３付加情報を、前記連結合成ＴＳの生成時に、前記複数種のセグメント形式の放送ＴＳの各々に多重して合成する合成手段を備えることを特徴とする、請求項１に記載のＳＴＬ／ＴＴＬ回線用送信システム。
【請求項３】
複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信装置であって、
当該複数種のセグメント形式の放送ＴＳに多重する付加情報のうち、当該放送ＴＳのＴＳＰに関する付加情報は第１付加情報とし、各事業者によって随時変更される付加情報とＩＩＰで伝送される付加情報は第２付加情報とし、連結送信に関する付加情報は第３付加情報として予め分類されており、
当該複数種のセグメント形式の放送ＴＳのうち前記１付加情報が多重された所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施して圧縮放送ＴＳを生成し、当該データ圧縮を施した後に前記第２付加情報を多重するデータ圧縮・付加情報多重手段と、
前記圧縮放送ＴＳと、当該複数種のセグメント形式の放送ＴＳのうち当該データ圧縮を施していない放送ＴＳとを連結し、前記第３付加情報を付与した連結合成ＴＳを生成する合成手段と、
前記連結合成ＴＳに対して予め定められた伝送路符号化を施してＳＴＬ／ＴＴＬ回線にて外部に送信する送信手段と、
を備えることを特徴とする、ＳＴＬ／ＴＴＬ回線用送信装置。
【請求項４】
当該削除する前記予め定められたＴＳＰカウンタ値のヌルパケットは、前記伝送パラメータに応じて前記放送ＴＳの遅延量が最小となるように予め定められていることを特徴とする、請求項３に記載のＳＴＬ／ＴＴＬ回線用送信装置。
【請求項５】
前記合成手段は、当該複数種のセグメント形式の放送ＴＳを任意に連結することによるセグメント構成によらず、前記連結合成ＴＳの伝送速度を前記ＳＴＬ／ＴＴＬ回線で伝送可能な一定の伝送速度となるようにヌルパケットを挿入する手段を備えることを特徴とする、請求項３又は４に記載のＳＴＬ／ＴＴＬ回線用送信装置。
【請求項６】
複数種のセグメント形式の放送ＴＳについて、セグメント形式に応じて予め定められた付加情報を多重して放送ＴＳを生成するＴＳ再多重装置であって、
当該複数種のセグメント形式の放送ＴＳに多重する付加情報のうち、当該放送ＴＳのＴＳＰに関する付加情報は第１付加情報とし、各事業者によって随時変更される付加情報とＩＩＰで伝送される付加情報は第２付加情報として予め分類されており、
前記複数種のセグメント形式の放送ＴＳのうち３セグメント形式の放送ＴＳについては前記第１付加情報を多重する第１のＴＳ再多重部と、前記複数種のセグメント形式の放送ＴＳのうち１セグメント形式の放送ＴＳについては前記第１付加情報及び前記第２付加情報の分類に属する付加情報を多重する第２のＴＳ再多重部のいずれか一方又は双方を備えることを特徴とするＴＳ再多重装置。
【請求項７】
複数種のセグメント形式の放送ＴＳについて、セグメント形式に応じて予め定められた付加情報を多重して放送ＴＳを生成する付加情報挿入制御装置であって、
当該複数種のセグメント形式の放送ＴＳに多重する付加情報のうち、当該放送ＴＳのＴＳＰに関する付加情報は第１付加情報とし、各事業者によって随時変更される付加情報とＩＩＰで伝送される付加情報は第２付加情報として予め分類されており、
前記複数種のセグメント形式の放送ＴＳのうち３セグメント形式の放送ＴＳについては前記第１付加情報を多重し、前記複数種のセグメント形式の放送ＴＳのうち１セグメント形式の放送ＴＳについては前記第１付加情報及び前記第２付加情報の分類に属する付加情報を多重するように制御する付加情報挿入制御部を備えることを特徴とする付加情報挿入制御装置。
【請求項８】
複数種のセグメント形式の放送ＴＳについて所定のセグメント数以下で任意に連結し合成した連結合成ＴＳをＳＴＬ／ＴＴＬ回線にて受信するＳＴＬ／ＴＴＬ回線用受信装置であって、
送信側で、当該複数種のセグメント形式の放送ＴＳのうち所定のセグメント形式の放送ＴＳについて該放送ＴＳの伝送パラメータに応じて予め定められたＴＳＰカウンタ値のヌルパケットを削除することによりデータ圧縮が施された圧縮放送ＴＳと、当該複数種のセグメント形式の放送ＴＳのうち当該データ圧縮を施していない放送ＴＳとを連結し合成した連結合成ＴＳを当該複数種のセグメント形式の放送ＴＳへと分離する分離手段と、
前記圧縮放送ＴＳのＴＳＰカウンタ値を監視し、ＴＳＰカウンタ値が連続値となっているときには前記圧縮放送ＴＳを分離した順にＴＳＰを連接し、ＴＳＰカウンタ値が連続値となっていないときにはＴＳＰカウンタ値が連続値となるまでヌルパケットを挿入して放送ＴＳを復元するデータ伸長手段と、
を備えることを特徴とする、ＳＴＬ／ＴＴＬ回線用受信装置。
【請求項９】
当該削除する前記予め定められたＴＳＰカウンタ値のヌルパケットは、前記伝送パラメータに応じて前記放送ＴＳの遅延量が最小となるように予め定められていることを特徴とする、請求項８に記載のＳＴＬ／ＴＴＬ回線用受信装置。
【請求項１０】
前記分離手段は、送信側にて前記ＳＴＬ／ＴＴＬ回線で伝送可能な一定の伝送速度となるように挿入されたヌルパケットを削除する手段を備えることを特徴とする、請求項８又は９に記載のＳＴＬ／ＴＴＬ回線用受信装置。
【発明の詳細な説明】
【技術分野】
【０００１】
本発明は、ＶＨＦ‐Ｌｏｗ帯を利用したマルチメディア放送などのセグメント連結方式によるデジタル放送信号を、演奏所から送信所や、送信所から送信所へ伝送するＳＴＬ／（Studio Transmitter Link）／ＴＴＬ（Transmitter to Transmitter Link）回線用の伝送信号である放送トランスポートストリーム（以下、「放送ＴＳ」と称する）の信号フォーマットの形式で送信するＳＴＬ／ＴＴＬ回線用送信システム、ＳＴＬ／ＴＴＬ回線用送信装置、ＴＳ再多重装置、付加情報挿入制御装置及びＳＴＬ／ＴＴＬ回線用受信装置に関する。
【背景技術】
【０００２】
ＳＴＬ／ＴＴＬ回線用の放送ＴＳの伝送の際の信号フォーマットとしては、地上デジタルテレビジョン放送においては、ＡＲＩＢ標準規格ＡＲＩＢ ＳＴＤ‐Ｂ３１の付属資料の第５章に記載のような放送ＴＳによる信号フォーマットや、セグメント連結伝送方式による地上マルチメディア放送においては、ＡＲＩＢ標準規格ＡＲＩＢ ＳＴＤ‐Ｂ４６の付属資料の第５章に記載のような放送ＴＳと１２セグメント形式の信号と１セグメント形式の信号を連結し合成した放送ＴＳ（以下、「連結合成ＴＳ」と称する）による信号フォーマットが知られている。
【０００３】
従来技術として、ＳＴＬ／ＴＴＬ回線用の放送ＴＳに関して、放送ＴＳのダミーバイト部の情報を変更し、入れ替えることによって、放送ＴＳの有効利用を図る伝送システムに関する技術が開示されている（例えば、特許文献１参照）。また、放送ＴＳのヌルパケットを利用し情報を伝送する地上デジタルテレビジョン放送ネットワークシステムが開示されている（例えば、特許文献２参照）。
【先行技術文献】
【特許文献】
【０００４】
【特許文献１】特開２０１０−２５２１３６号公報
【特許文献２】特開２０１１−１５０６０号公報
【発明の概要】
【発明が解決しようとする課題】
【０００５】
ＶＨＦ‐Ｌｏｗ帯を利用したセグメント連結伝送方式によるマルチメディア放送では、１セグメント形式もしくは３セグメント形式の信号を複数個（最大１４セグメント）連結した信号を、ＳＴＬ／回線やＴＴＬ回線用に変調して伝送する。
【０００６】
しかし、ＡＲＩＢ ＳＴＤ‐Ｂ３１は、地上デジタルテレビジョン放送用に特化されているため、１３セグメント固定のセグメント数の放送ＴＳのフォーマット（伝送速度３２．５１Ｍｂｐｓ（＝５１２／６３×４Ｍｂｐｓ））の信号しか伝送できない。
【０００７】
一方、ＡＲＩＢ ＳＴＤ‐Ｂ４６は、ＶＨＦ‐Ｈｉｇｈ帯を利用したセグメント連結伝送方式によるマルチメディア放送用の信号フォーマットを規定しており、セグメント連結伝送用に拡張されているが、２個の１３セグメント形式の信号と７個の１セグメント形式の信号の合計３３セグメントの信号の伝送用に考えられた連結合成ＴＳの信号フォーマットである。１３セグメント形式の放送ＴＳの伝送速度は３２．５１Ｍｂｐｓ（＝５１２／６３×４Ｍｂｐｓ）、１セグメント形式の放送ＴＳの伝送速度は２．０３Ｍｂｐｓ（＝５１２／６３／４Ｍｂｐｓ）であり、これらの放送ＴＳを合成して連結合成ＴＳを生成するが、その伝送速度は７９．２４Ｍｂｐｓ（＝５１２／６３×（４×２＋７／４）Ｍｂｐｓ）である。ＶＨＦ‐Ｈｉｇｈ帯を利用したセグメント連結伝送方式によるマルチメディア放送では、主に、ＳＴＬ／ＴＴＬ回線の代わりに衛星配信とすることが意図されている。
【０００８】
ＶＨＦ‐Ｌｏｗ帯を利用したセグメント連結伝送方式によるマルチメディア放送は、１セグメント形式もしくは３セグメント形式で構成され、１４セグメント以下のセグメント数で各セグメント形式の個数を任意に連結することが考えられている。１セグメント形式の放送ＴＳの伝送速度は２．０３Ｍｂｐｓ（＝５１２／６３／４Ｍｂｐｓ）、３セグメント形式の放送ＴＳの伝送速度は８．１２Ｍｂｐｓ（＝５１２／６３Ｍｂｐｓ）である。そのまま放送ＴＳを連結し合成した場合、１セグメント形式が１４個の場合は連結合成ＴＳの伝送速度は２８．４４Ｍｂｐｓ（＝５１２／６３／４×１４ Ｍｂｐｓ）となるが、３セグメント形式が４個、１セグメント形式が２個の合計１４個で構成された場合は、その連結合成ＴＳの伝送速度は３６．５７Ｍｂｐｓ（＝５１２／６３×４＋５１２／６３／４×１ Ｍｂｐｓ）となる。したがって、連結し合成された連結合成ＴＳの伝送速度がセグメント構成によって異なり、且つ地上デジタルテレビジョン放送における伝送速度３２．５１Ｍｂｐｓを超えることとなり、地上デジタルテレビジョン放送と同様のＳＴＬ／ＴＴＬ回線で伝送することが困難となる。
【０００９】
一方、特許文献１の技術では、放送ＴＳのダミーバイト部の情報を変更し、入れ替えることによって放送ＴＳの有効利用を図ることが可能となるが、ＶＨＦ‐Ｌｏｗ帯を利用したセグメント連結伝送方式によるマルチメディア放送において、連結合成ＴＳの伝送速度がセグメント構成によって異なることによる地上デジタルテレビジョン放送と同様のＳＴＬ／ＴＴＬ回線への利用の問題について解決する手段を提供していない。
【００１０】
また、特許文献２の技術では、放送ＴＳのヌルパケットを利用し情報を伝送する点で、放送ＴＳの有効利用を図ることが可能となるが、セグメント連結用放送ＴＳを考慮したものではなく、連結合成ＴＳの伝送速度がセグメント構成によって異なることによる地上デジタルテレビジョン放送と同様のＳＴＬ／ＴＴＬ回線への利用の問題について解決する手段を提供していない。
【００１１】
尚、地上デジタルテレビジョン放送、及びＶＨＦ‐Ｈｉｇｈ帯を利用したマルチメディア放送の場合、放送ＴＳはＡＲＩＢ ＳＴＤ‐Ｂ３１の付属資料第５章、及びＡＲＩＢ ＳＴＤ‐Ｂ４６の付属資料第５章に規定されるように、放送ＴＳ伝送時に送信所の制御に必要な付加情報（送信制御情報）を多重することが規定されている。この付加情報は、付加情報内の情報種類に応じて、各ＴＳＰのダミーバイトや放送ＴＳの無効階層ＴＳＰにおけるＩＩＰ（ISDB-T Information Packet）などに多重される。例えば、伝送パラメータはＩＩＰへ、ＴＳＰカウンタ値等の情報は、各ＴＳＰのダミーバイト部分へ多重される。尚、ＡＲＩＢ ＳＴＤ‐Ｂ４６（平成２４年７月３日改定の１．２版）では、連結送信時のセグメント構成の制御情報（即ち、連結送信制御情報）が、連結合成ＴＳの生成時にて放送ＴＳの無効階層ＴＳＰにおけるＣＩＰ（Connected transmission Information Packet）により付加される。ただし、ＶＨＦ‐Ｌｏｗ帯マルチメディア放送の放送ＴＳに多重される付加情報のフォーマットは現段階で規定されていない。
【００１２】
そこで、ＳＴＬ／ＴＴＬ回線用の放送ＴＳの伝送の際には当該放送ＴＳに関する所定の付加情報に関して、受信側にとって、より遅延の少ない伝送とするのが望ましい。
【００１３】
本発明は、上述の問題を鑑みて為されたものであり、複数種のセグメント形式の放送ＴＳについて所定のセグメント数以下で任意に連結し合成した連結合成ＴＳを付加情報とともに効率よくＳＴＬ／ＴＴＬ回線にて送信するＳＴＬ／ＴＴＬ回線用送信システム、ＳＴＬ／ＴＴＬ回線用送信装置、ＴＳ再多重装置、付加情報挿入制御装置及びＳＴＬ／ＴＴＬ回線用受信装置を提供することを目的とする。
【課題を解決するための手段】
【００１４】
前述したように、ＶＨＦ‐Ｌｏｗ帯マルチメディア放送は、６ＭＨｚの帯域幅で、最大１４セグメントで構成されることが考えられている。この放送では、１４セグメント以下のセグメント数で各セグメント形式の個数を任意に複数連結して放送される。１セグメント形式の放送ＴＳ（ＴＳ：トランスポートストリーム）の伝送速度は２．０３Ｍｂｐｓ（＝５１２／６３／４Ｍｂｐｓ）、３セグメント形式の放送ＴＳの伝送速度は８．１２Ｍｂｐｓ（＝５１２／６３Ｍｂｐｓ）であり、これらの放送ＴＳをそのまま合成すると、セグメントの構成（１セグメント形式、または３セグメント形式）によって合成された連結合成ＴＳの伝送速度が異なり、且つ地上デジタルテレビジョン放送における伝送速度３２．５１Ｍｂｐｓを超えることになる。
【００１５】
そこで、本発明による一態様のＳＴＬ／ＴＴＬ回線用送信システムでは、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に伝送する際に、８．１２Ｍｂｐｓ（＝５１２／６３Ｍｂｐｓ）の３セグメント形式の放送ＴＳを圧縮・変換して６．１０Ｍｂｐｓ（＝５１２／６３／４×３Ｍｂｐｓ）の放送ＴＳとし、セグメントの構成（１セグメント形式、または３セグメント形式）によらずに、地上デジタルテレビジョン放送と同様のＳＴＬ／ＴＴＬ回線を利用できる一定速度の連結合成ＴＳを伝送信号として生成して送信する。即ち、本発明の一態様によるＳＴＬ／ＴＴＬ回線用送信システムは、セグメント連結時の放送ＴＳが地上デジタルテレビジョン放送の放送ＴＳの伝送速度である３２．５１Ｍｂｐｓ（＝５１２／６３×４Ｍｂｐｓ）以下の伝送速度となるように当該デジタル放送信号の放送ＴＳを圧縮し、ヌルパケットを追加するレート調整により伝送速度として３２．５１Ｍｂｐｓの連結合成ＴＳを生成することで、地上デジタルテレビジョン放送と同様のＳＴＬ／ＴＴＬ回線を利用できるようにする。
【００１６】
本発明に係る３セグメント形式の放送ＴＳの圧縮・変換に関して、本発明に係るＳＴＬ／ＴＴＬ回線用送信システムは、３セグメント形式（伝送速度８．１２Ｍｂｐｓ（＝５１２／６３Ｍｂｐｓ））の放送ＴＳに含まれるヌルパケットを削除し、６．１０Ｍｂｐｓ（＝５１２／６３／４×３Ｍｂｐｓ）に圧縮した放送ＴＳへと変換する。これにより、任意に連結されるセグメントの構成のうち放送ＴＳ連結後の伝送速度が最大となる組み合わせとして３セグメント形式が４個と１セグメント型式（伝送速度２．０３Ｍｂｐｓ（＝５１２／６３／４Ｍｂｐｓ））が２個からなる１４セグメントで構成された場合でも、放送ＴＳの合計伝送速度は、地上デジタルテレビジョン放送のＳＴＬ／ＴＴＬ回線で伝送可能な放送ＴＳ以下（３２．５１Ｍｂｐｓ（＝５１２／６３×４Ｍｂｐｓ）以下）の２８．４４Ｍｂｐｓ（＝５１２／６３×３／４×４＋５１２／６３／４×２ Ｍｂｐｓ）とすることができる。その後、ヌルパケットを付加してレート調整を行い地上デジタルテレビジョン放送の放送ＴＳと同じ伝送速度とすることにより、地上デジタルテレビジョン放送のＳＴＬ／ＴＴＬ回線をそのまま利用できるようになる。また、データ圧縮の際に削除するヌルパケットの位置は、所定の伝送パラメータに応じて予め遅延量が最小となるように決定されたものとするのが好適である。
【００１７】
更に、本発明に係る３セグメント形式の放送ＴＳの圧縮・変換に関して、３セグメント形式の放送ＴＳに含まれるヌルパケットを削除して圧縮放送ＴＳへ変換する際、伝送パラメータなどの情報は圧縮する前に多重し、ＡＣデータやＩＩＰ、事業者独自データなどは圧縮放送ＴＳのヌルパケットに多重する。ＳＴＬ／ＴＴＬ回線用の放送ＴＳの伝送の際に多重する所定の付加情報には、伝送パラメータを含むＴＭＣＣ、ＡＣデータ、事業者独自データなどの該放送ＴＳに関する情報が含まれ、本発明のＳＴＬ／ＴＴＬ回線用送信システムにおいては、この所定の付加情報を３種類の付加情報に分類し、放送ＴＳ及び圧縮した放送ＴＳに対して個別に多重することにより、当該圧縮した放送ＴＳの伸長時における遅延を最小化させることができ、効率的な放送ＴＳ及び付加情報の伝送を可能とする。
【００１８】
即ち、本発明のＳＴＬ／ＴＴＬ回線用送信システムは、複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信システムであって、当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施した圧縮放送ＴＳを生成し、圧縮放送ＴＳとデータ圧縮を施していない放送ＴＳとを連結し連結合成ＴＳを生成し、前記連結合成ＴＳに対して予め定められた伝送路符号化を施してＳＴＬ／ＴＴＬ回線にて外部に送信するＳＴＬ／ＴＴＬ回線用送信手段と、当該放送ＴＳのＴＳＰに関する付加情報を第１付加情報とし、各事業者によって随時変更される情報とＩＩＰで伝送される付加情報を第２付加情報として分類しておき、当該圧縮放送ＴＳに関してデータ圧縮を施す前に前記第１付加情報を圧縮対象の放送ＴＳに多重し、当該データ圧縮を施した後に前記第２付加情報を当該圧縮放送ＴＳに多重する付加情報挿入制御手段と、を備えることを特徴とする。また、本発明のＳＴＬ／ＴＴＬ回線用送信システムにおいて、前記ＳＴＬ／ＴＴＬ回線用送信手段は、前記複数種のセグメント形式の放送ＴＳに多重する付加情報のうち連結送信に関する情報として分類された第３付加情報を、前記連結合成ＴＳの生成時に、前記複数種のセグメント形式の放送ＴＳの各々に多重して合成する合成手段を備えることを特徴とする。
【００１９】
更に、本発明のＳＴＬ／ＴＴＬ回線用送信装置は、複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信装置であって、当該複数種のセグメント形式の放送ＴＳに多重する付加情報のうち、当該放送ＴＳのＴＳＰに関する付加情報は第１付加情報とし、各事業者によって随時変更される付加情報とＩＩＰで伝送される付加情報は第２付加情報とし、連結送信に関する付加情報は第３付加情報として予め分類されており、当該複数種のセグメント形式の放送ＴＳのうち前記１付加情報が多重された所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施して圧縮放送ＴＳを生成し、当該データ圧縮を施した後に前記第２付加情報を多重するデータ圧縮・付加情報多重手段と、前記圧縮放送ＴＳと、当該複数種のセグメント形式の放送ＴＳのうち当該データ圧縮を施していない放送ＴＳとを連結し、前記第３付加情報を付与した連結合成ＴＳを生成する合成手段と、前記連結合成ＴＳに対して予め定められた伝送路符号化を施してＳＴＬ／ＴＴＬ回線にて外部に送信する送信手段と、を備えることを特徴とする。
【００２０】
また、本発明のＳＴＬ／ＴＴＬ回線用送信装置において、当該削除する前記予め定められたＴＳＰカウンタ値のヌルパケットは、前記伝送パラメータに応じて前記放送ＴＳの遅延量が最小となるように予め定められていることを特徴とする。
【００２１】
また、本発明のＳＴＬ／ＴＴＬ回線用送信装置において、前記合成手段は、当該複数種のセグメント形式の放送ＴＳを任意に連結することによるセグメント構成によらず、前記連結合成ＴＳの伝送速度を前記ＳＴＬ／ＴＴＬ回線で伝送可能な一定の伝送速度となるようにヌルパケットを挿入する手段を備えることを特徴とする。
【００２２】
更に、本発明のＴＳ再多重装置は、複数種のセグメント形式の放送ＴＳについて、セグメント形式に応じて予め定められた付加情報を多重して放送ＴＳを生成するＴＳ再多重装置であって、当該複数種のセグメント形式の放送ＴＳに多重する付加情報のうち、当該放送ＴＳのＴＳＰに関する付加情報は第１付加情報とし、各事業者によって随時変更される付加情報とＩＩＰで伝送される付加情報は第２付加情報として予め分類されており、前記複数種のセグメント形式の放送ＴＳのうち３セグメント形式の放送ＴＳについては前記第１付加情報を多重する第１のＴＳ再多重部と、前記複数種のセグメント形式の放送ＴＳのうち１セグメント形式の放送ＴＳについては前記第１付加情報及び前記第２付加情報の分類に属する付加情報を多重する第２のＴＳ再多重部のいずれか一方又は双方を備えることを特徴とする。
【００２３】
更に、本発明の付加情報挿入制御装置は、複数種のセグメント形式の放送ＴＳについて、セグメント形式に応じて予め定められた付加情報を多重して放送ＴＳを生成する付加情報挿入制御装置であって、当該複数種のセグメント形式の放送ＴＳに多重する付加情報のうち、当該放送ＴＳのＴＳＰに関する付加情報は第１付加情報とし、各事業者によって随時変更される付加情報とＩＩＰで伝送される付加情報は第２付加情報として予め分類されており、前記複数種のセグメント形式の放送ＴＳのうち３セグメント形式の放送ＴＳについては前記第１付加情報を多重し、前記複数種のセグメント形式の放送ＴＳのうち１セグメント形式の放送ＴＳについては前記第１付加情報及び前記第２付加情報の分類に属する付加情報を多重するように制御する付加情報挿入制御部を備えることを特徴とする。
【００２４】
更に、本発明のＳＴＬ／ＴＴＬ回線用受信装置は、複数種のセグメント形式の放送ＴＳについて所定のセグメント数以下で任意に連結し合成した連結合成ＴＳをＳＴＬ／ＴＴＬ回線にて受信するＳＴＬ／ＴＴＬ回線用受信装置であって、送信側で、当該複数種のセグメント形式の放送ＴＳのうち所定のセグメント形式の放送ＴＳについて該放送ＴＳの伝送パラメータに応じて予め定められたＴＳＰカウンタ値のヌルパケットを削除することによりデータ圧縮が施された圧縮放送ＴＳと、当該複数種のセグメント形式の放送ＴＳのうち当該データ圧縮を施していない放送ＴＳとを連結し合成した連結合成ＴＳを当該複数種のセグメント形式の放送ＴＳへと分離する分離手段と、前記圧縮放送ＴＳのＴＳＰカウンタ値を監視し、ＴＳＰカウンタ値が連続値となっているときには前記圧縮放送ＴＳを分離した順にＴＳＰを連接し、ＴＳＰカウンタ値が連続値となっていないときにはＴＳＰカウンタ値が連続値となるまでヌルパケットを挿入して放送ＴＳを復元するデータ伸長手段と、
を備えることを特徴とする。
【００２５】
また、本発明のＳＴＬ／ＴＴＬ回線用受信装置において、当該削除する前記予め定められたＴＳＰカウンタ値のヌルパケットは、前記伝送パラメータに応じて前記放送ＴＳの遅延量が最小となるように予め定められていることを特徴とする。
【００２６】
また、本発明のＳＴＬ／ＴＴＬ回線用受信装置において、前記分離手段は、送信側にて前記ＳＴＬ／ＴＴＬ回線で伝送可能な一定の伝送速度となるように挿入されたヌルパケットを削除する手段を備えることを特徴とする。
【発明の効果】
【００２７】
本発明によれば、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結合成ＴＳを構成することができるので、地上デジタルテレビジョン放送と同様のＳＴＬ／ＴＴＬ回線を利用することができるようになる。更に、伝送パラメータを含むＴＭＣＣ、ＡＣデータ、事業者独自データなどを含む所定の付加情報に関して、放送ＴＳの伝送に係る圧縮・伸長に起因する遅延を最小化することができる。
【図面の簡単な説明】
【００２８】
【図１】本発明による第１実施形態のＳＴＬ／ＴＴＬ回線用送信システムの構成を示すブロック図である。
【図２】本発明による第１実施形態のＳＴＬ／ＴＴＬ回線用送信システムに係る付加情報の種類の一例とその分類例を示す図である。
【図３】本発明による第１実施形態のＳＴＬ／ＴＴＬ回線用送信システムにおけるデータ圧縮・付加情報多重部の構成を示すブロック図である。
【図４】本発明による第１実施形態のＳＴＬ／ＴＴＬ回線用送信システムに係る各ＴＳＰのダミーバイト部分に含まれる付加情報の多重位置を示す図である。
【図５】本発明による第１実施形態のＳＴＬ／ＴＴＬ回線用送信システムにおける合成部の構成を示すブロック図である。
【図６】本発明による第１実施形態のＳＴＬ／ＴＴＬ回線用送信システムにおける連結・合成ＴＳ区別情報、セグメント形式情報及び単位送信波情報のビット割り当ての一例を示す図である。
【図７】本発明による第１実施形態のＳＴＬ／ＴＴＬ回線用送信システムに係る１多重フレームに含まれるＴＳＰ数を示す表である。
【図８】本発明による第１実施形態のＳＴＬ／ＴＴＬ回線用送信システムに係るモード１、ガードインターバル１／４、Ａ階層ＱＰＳＫ（符号化率２／３）、Ｂ階層 １６ＱＡＭ（符号化率１／２）の場合の放送ＴＳパケット配置を示す図である。
【図９】本発明による第１実施形態のＳＴＬ／ＴＴＬ回線用送信システムにおけるモード１、ガードインターバル１／４、Ａ階層ＱＰＳＫ（符号化率２／３）、Ｂ階層１６ＱＡＭ（符号化率１／２）における抽出ＴＳＰテーブルを示す表である。
【図１０】本発明による第１実施形態のＳＴＬ／ＴＴＬ回線用受信装置の構成を示すブロック図である。
【図１１】本発明による第１実施形態のＳＴＬ／ＴＴＬ回線用受信装置におけるデータ伸長部の構成を示すブロック図である。
【図１２】本発明による第２実施形態のＳＴＬ／ＴＴＬ回線用送信システムにおけるモード３、ガードインターバル１／８の場合の、ＴＳＰカウンタ値が０から３９の放送ＴＳパケット配置を示す図である。
【図１３】比較例のＳＴＬ／ＴＴＬ回線用送信装置の構成を示すブロック図である。
【図１４】比較例のＳＴＬ／ＴＴＬ回線用送信装置におけるデータ圧縮部の構成を示すブロック図である。
【図１５】比較例のＳＴＬ／ＴＴＬ回線用受信装置におけるデータ伸長部の構成を示すブロック図である。
【図１６】本発明による第３実施形態のＳＴＬ／ＴＴＬ回線用送信システムの構成を示すブロック図である。
【発明を実施するための形態】
【００２９】
以下、図面を参照して、本発明による第１実施形態のＳＴＬ／ＴＴＬ回線用送信システム、ＳＴＬ／ＴＴＬ回線用送信装置、ＴＳ再多重装置、付加情報挿入制御装置及びＳＴＬ／ＴＴＬ回線用受信装置について説明する。
【００３０】
〔第１実施形態〕
（ＳＴＬ／ＴＴＬ回線用送信システム）
図１は、本発明による第１実施形態のＳＴＬ／ＴＴＬ回線用送信システムの構成を示すブロック図である。尚、本実施形態では、放送ＴＳの伝送速度の合計が最も大きくなる構成、つまり、３セグメント形式の放送トランスポートストリーム（以下、放送ＴＳ）を４個、１セグメント形式の放送ＴＳを２個（合計１４セグメント）で構成されたＶＨＦ‐Ｌｏｗ帯マルチメディア放送の連結合成ＴＳを地上デジタルテレビジョン放送のＳＴＬ／ＴＴＬの１回線で伝送する例について説明する。
【００３１】
図１を参照するに、本実施形態のＳＴＬ／ＴＴＬ回線用送信システムは、ＳＴＬ／ＴＴＬ回線用送信装置１と、３セグメント形式（以下、「３ｓｅｇ」とも表す。）のＴＳに対して所定の付加情報（図２にて詳細に後述する。）から分類された第１付加情報Ａを多重して３セグメント形式の放送ＴＳを形成する３ｓｅｇ用ＴＳ再多重装置６‐１，６‐２，６‐３，６‐４と、１セグメント形式（以下、「１ｓｅｇ」とも表す。）のＴＳに対して当該所定の付加情報のうち第１付加情報Ａ及び第２付加情報Ｂに属する情報を多重して１セグメント形式の放送ＴＳを形成する１ｓｅｇ用ＴＳ再多重装置７‐１，７‐２と、各セグメント形式のＴＳに応じて当該所定の付加情報から分類される、第１付加情報Ａ、第２付加情報Ｂ及び第３付加情報Ｃ、並びに、第１付加情報Ａ及び第２付加情報Ｂに属する情報を出力する付加情報挿入制御装置８とを備える。
【００３２】
付加情報挿入制御装置８は、セグメント形式判定部８１及び付加情報挿入制御部８２を備える。セグメント形式判定部８１は、伝送するＳＴＬ／ＴＴＬ回線用のＴＳが１セグメント形式の信号であるか、１セグメント形式の信号であるかを判別し、その判別結果を付加情報挿入制御部８２に送出する。付加情報挿入制御部８２は、当該判別結果を基に、３セグメント形式の信号に対しては所定の付加情報から分類された第１付加情報Ａ及び第２付加情報Ｂを出力し、１セグメント形式の信号に対しては当該所定の付加情報のうち第１付加情報Ａ及び第２付加情報Ｂに属する情報を出力し、３セグメント形式の信号及び１セグメント形式の信号に関して、連結合成ＴＳの生成時に共通に多重するための第３付加情報Ｃを出力する。
【００３３】
付加情報挿入制御装置８が出力する１セグメント形式の信号用の付加情報（第１付加情報Ａ及び第２付加情報Ｂに属する情報）は、１ｓｅｇ用ＴＳ再多重装置７‐１，７‐２に入力される。また、付加情報挿入制御装置８が出力する３セグメント形式の信号用の第１付加情報Ａ及び第２付加情報Ｂは、データ圧縮時に削除する予定のＴＳＰがＩＩＰ、ＡＣデータ及び事業者独自データとなる場合がないようにするために、第１付加情報Ａについてはデータ圧縮前の３ｓｅｇ用ＴＳ再多重装置６‐１，６‐２，６‐３，６‐４にて多重し、第２付加情報ＢについてはＳＴＬ／ＴＴＬ回線用送信装置１にてデータ圧縮後に多重するべくタイミングを変えて出力されることになる。分類する第１付加情報Ａ、第２付加情報Ｂ及び第３付加情報Ｃに関しては、図２にて詳細に後述する。
【００３４】
３ｓｅｇ用ＴＳ再多重装置６‐１，６‐２，６‐３，６‐４は、単位送信波毎にＴＳ再多重処理を行う装置であり、それぞれ３セグメント形式のＴＳに対して所定の付加情報から分類された第１付加情報Ａを多重して３セグメント形式の放送ＴＳを形成して出力するＴＳ再多重部６１を備える。本願明細書中、３ｓｅｇ用ＴＳ再多重装置６‐１，６‐２，６‐３，６‐４のそれぞれについて、総括して「３ｓｅｇ用ＴＳ再多重装置６」とも称することにする。
【００３５】
１ｓｅｇ用ＴＳ再多重装置７‐１，７‐２は、３ｓｅｇ用ＴＳ再多重装置６と同様に単位送信波毎にＴＳ再多重処理を行う装置であるが、それぞれ１セグメント形式の信号用の付加情報（第１付加情報Ａ及び第２付加情報Ｂに属する情報）を多重して１セグメント形式の放送ＴＳを形成して出力するＴＳ再多重部７１を備える。本願明細書中、１ｓｅｇ用ＴＳ再多重装置７‐１，７‐２のそれぞれについて、総括して「１ｓｅｇ用ＴＳ再多重装置７」とも称することにする。
【００３６】
尚、３ｓｅｇ用ＴＳ再多重装置６及び１ｓｅｇ用ＴＳ再多重装置７における各ＴＳ再多重部６１，７１は、それぞれに分類された付加情報を用いて単位送信波毎にＴＳ再多重処理を行うにあたり、各放送ＴＳのダミーバイトに放送ＴＳである旨を示す情報を付加する。
【００３７】
ＳＴＬ／ＴＴＬ回線用送信装置１は、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に伝送する際に、所定数の３セグメント形式の放送ＴＳと所定数の１セグメント形式の放送ＴＳとを多重連結して合計１４セグメントの連結合成ＴＳを生成して送信するための装置であり、３ｓｅｇ用ＴＳ再多重装置６から出力されるそれぞれの３セグメント形式の放送ＴＳに対して設けられるデータ圧縮・付加情報多重部９‐１，９‐２，９‐３，９‐４（本願明細書中、総括して「データ圧縮・付加情報多重部９」とも称する。）と、それぞれのデータ圧縮・付加情報多重部９から送出される圧縮後の放送ＴＳ（以下、「圧縮放送ＴＳ」とも称する。）及び１ｓｅｇ用ＴＳ再多重装置７から出力されるそれぞれの１セグメント形式の放送ＴＳを連結して合成した連結合成ＴＳを生成する合成部３と、ＳＴＬ／ＴＴＬ用伝送路符号化部４と、ＲＦ（Radio Frequency）送信部５とを備える。
【００３８】
図１に示すように、まず、ＳＴＬ／ＴＴＬ回線用送信装置１へ３セグメント形式の放送ＴＳが４個、１セグメント形式の放送ＴＳが２個入力される。３セグメント形式の放送ＴＳは８．１２Ｍｂｐｓ（＝５１２／６３Ｍｂｐｓ）、１セグメント形式の放送ＴＳは２．０３Ｍｂｐｓ（＝５１２／６３／４Ｍｂｐｓ）の伝送速度をもつ。入力された放送ＴＳのうち、３セグメント形式のものはそれぞれデータ圧縮部２へ入力される。１セグメント形式のものは直接、合成部３へ入力される。
【００３９】
データ圧縮・付加情報多重部９は、８．１２Ｍｂｐｓ（＝５１２／６３Ｍｂｐｓ）の放送ＴＳを６．１０Ｍｂｐｓ（＝５１２／６３／４×３Ｍｂｐｓ）の圧縮放送ＴＳにデータ圧縮を行い、更に、データ圧縮時に削除する予定のＴＳＰがＩＩＰ、ＡＣデータ及び事業者独自データとなる場合がないようにするために、データ圧縮後に第２付加情報Ｂを多重して圧縮放送ＴＳとして合成部３に出力する。
【００４０】
合成部３は、第３付加情報Ｃと、データ圧縮・付加情報多重部９から出力された４個の３セグメント形式の圧縮放送ＴＳを入力するとともに、１ｓｅｇ用ＴＳ再多重装置７から出力された２個の１セグメント形式の放送ＴＳを直接入力し、４個の３セグメント形式の圧縮放送ＴＳと２個の１セグメント形式の放送ＴＳを合成し、ヌルパケットを追加するレート調整により一定の伝送速度を持つ１個の連結合成ＴＳを生成して、ＳＴＬ／ＴＴＬ用伝送路符号化部４に出力する。本実施形態の場合、放送ＴＳ及び圧縮放送ＴＳの合計伝送速度は、２８．４４Ｍｂｐｓ（＝５１２／６３／４×（３×４＋２）Ｍｂｐｓ）となる。そこで、７個のＴＳＰ毎に１個のヌルパケットを追加することで３２．５１Ｍｂｐｓ（＝５１２／６３×４Ｍｂｐｓ）の一定の伝送速度を持つ１個の連結合成ＴＳが合成部３から出力される。
【００４１】
ＳＴＬ／ＴＴＬ用伝送路符号化部４は、この連結合成ＴＳに対して所定の伝送路符号化（例えばＡＲＩＢ  ＳＴＤ‐Ｂ３１と同様）を施してＩＦ（Intermediate Frequency）信号を生成し、ＲＦ送信部５に送出する。
【００４２】
ＲＦ送信部５は、伝送路符号化を施した連結合成ＴＳのＩＦ信号を予め定められた周波数のＲＦ信号に変換して放送波を生成し、外部に送出する。
【００４３】
図２に、本実施形態において利用する所定の付加情報に関して、放送ＴＳの信号へ多重する送信制御情報（付加情報）の種類の一例とその分類例を示す。本実施形態では、ＴＭＣＣ識別などのフレーム内で変更されることがないものや、ＴＳＰカウンタ値などのフレームにおけるＴＳＰの位置や同期関連の情報は第１付加情報Ａに分類され、一方で、ＡＣデータや事業者独自データなどの随時変更される情報、及び、ＩＩＰで伝送される情報については第２付加情報Ｂに分類される。更に、連結合成ＴＳの生成時にて多重する連結送信時のセグメント構成の制御情報（即ち、連結送信制御情報）やセグメント形式情報・単位送信波情報などは、連結送信に関する情報として第３付加情報Ｃに分類される。ただし、ＴＳＰ毎の階層情報は、第１付加情報Ａ及び第２付加情報Ｂに属することになるが、第１付加情報Ａの多重後に第２付加情報Ｂを多重する際に書き換えられる。また、放送ＴＳ／連結・合成ＴＳ区別情報は、第１付加情報Ａ、第２付加情報Ｂ及び第３付加情報Ｃに属することになるが、第１付加情報Ａの多重後に第２付加情報Ｂを多重する際に書き換えられ、更に連結合成ＴＳの生成時にて第３付加情報Ｃを多重する際に書き換えられる。ただし、本実施形態に係る当該所定の付加情報の種類は、図２に例示する種類に限定するものではない。
【００４４】
図３は、本実施形態のＳＴＬ／ＴＴＬ回線用送信装置１におけるデータ圧縮・付加情報多重部９の構成を示すブロック図である。データ圧縮・付加情報多重部９は、ＴＳＰバッファ９１と、ＴＳＰカウンタ値抽出部９２と、抽出ＴＳＰテーブル選択制御部９３と、抽出ＴＳＰテーブル格納部９３ａと、ＴＳＰ抽出部９４と、付加情報多重部９５とを備える。第１付加情報Ａが多重された３セグメント形式の放送ＴＳがＴＳＰバッファ９１及びＴＳＰカウンタ値抽出部９２に入力され、付加情報挿入制御装置８から出力された第２付加情報Ｂが抽出ＴＳＰテーブル選択制御部９３及び付加情報多重部９５に入力される。
【００４５】
ＴＳＰバッファ９１は、入力された３セグメント形式の放送ＴＳにおける放送ＴＳパケット（以下、「ＴＳＰ」と称する）を一時格納する機能を有し、後述するＴＳＰ抽出部９４の制御により所定のＴＳＰカウンタ値を有するＴＳＰが読み出される。
【００４６】
ＴＳＰカウンタ値抽出部９２は、図４に示す各ＴＳＰのダミーバイト部分に含まれる第１付加情報Ａ内のＴＳＰカウンタ値を抽出してＴＳＰ抽出部９４に送出する。
【００４７】
抽出ＴＳＰテーブル選択制御部９３は、付加情報挿入制御装置８から出力された第２付加情報Ｂ内のＴＭＣＣに含まれる伝送パラメータを入力し、伝送パラメータに応じた複数の抽出ＴＳＰテーブルを予め格納している抽出ＴＳＰテーブル格納部９３ａから、抽出ＴＳＰテーブル選択制御部９３で抽出された伝送パラメータに合致する抽出ＴＳＰテーブルを選択して読み出し、ＴＳＰ抽出部９４に出力する。ここで、抽出ＴＳＰテーブルとは、３セグメント形式の放送ＴＳを構成するＴＳＰのうち、圧縮放送ＴＳとして抽出するＴＳＰのＴＳＰカウンタ値を示す表であり、その作成方法については詳細に後述する。
【００４８】
ＴＳＰ抽出部９４は、ＴＳＰカウンタ値抽出部９２から出力されたＴＳＰカウンタ値を入力するとともに、抽出ＴＳＰテーブル選択制御部９３から出力された抽出ＴＳＰテーブルを参照して、ＴＳＰバッファ９１より圧縮放送ＴＳとして該当するＴＳＰを抽出して付加情報多重部９５に送出する。
【００４９】
付加情報多重部９５は、第２付加情報Ｂに含まれる情報（ＡＣデータ、ＩＩＰで伝送されるデータ、及び、事業者独自データなど） が入力される毎にＴＳＰ抽出部９４で抽出されたＴＳＰのうちヌルパケット（Ｎｕｌｌ_ＴＳＰ）へ第２付加情報Ｂを多重する。この際、第１付加情報Ａで多重されたＴＳＰ毎の階層情報を書き換える。これにより、８．１２Ｍｂｐｓ（＝５１２／６３Ｍｂｐｓ）の放送ＴＳが、第１付加情報Ａ及び第２付加情報Ｂの情報を含む付加情報が多重された６．１０Ｍｂｐｓ（＝５１２／６３／４×３Ｍｂｐｓ）の圧縮放送ＴＳへ変換される。
【００５０】
図５は、本実施形態のＳＴＬ／ＴＴＬ回線用送信装置１における合成部３の構成を示すブロック図である。合成部３は、付加情報付加部３１‐１，３１‐２，３１‐３，３１‐４，３２‐１，３２‐２と、ＴＳ合成部３３と、ヌルパケット生成部３４と、レート調整部３５とを備える。
【００５１】
付加情報付加部３１‐１，３１‐２，３１‐３，３１‐４は、データ圧縮・付加情報多重部９‐１，９‐２，９‐３，９‐４からそれぞれ出力される３セグメント形式の圧縮放送ＴＳを入力し、第３付加情報Ｃに含まれる連結・合成ＴＳ区別情報、セグメント形式情報及び単位送信波情報を圧縮放送ＴＳのダミーバイトに多重してＴＳ合成部３３に出力する。
【００５２】
付加情報付加部３２‐１，３２‐２は、１ｓｅｇ用ＴＳ再多重装置７‐１, ７‐２からそれぞれ出力される１セグメント形式の放送ＴＳを入力し、第３付加情報Ｃに含まれる連結・合成ＴＳ区別情報、セグメント形式情報及び単位送信波情報を当該放送ＴＳのダミーバイトに多重してＴＳ合成部３３に出力する。
【００５３】
ＴＳ合成部３３は、付加情報付加部３１‐１，３１‐２，３１‐３，３１‐４から得られる圧縮放送ＴＳと、付加情報付加部３２‐１，３２‐２から得られる放送ＴＳと、ＣＩＰとを多重して合成し、レート調整部３５に出力する。これにより、当該所定の付加情報内の全ての情報が多重された連結合成ＴＳが生成される。
【００５４】
ヌルパケット生成部３４は、ＴＳ合成部３３の出力における伝送速度は入力される圧縮放送ＴＳや１セグメント形式の放送ＴＳの個数に応じて変わるため、レート調整部３５からの要求に応じてヌルパケット（Ｎｕｌｌ＿ＴＳＰ）を生成してレート調整部３５に出力する。
【００５５】
レート調整部３５は、レート調整部３５で一定の速度３２．５Ｍｂｐｓ（＝５１２／６３×４Ｍｂｐｓ）を持つ連結合成ＴＳとなるようにヌルパケット生成部３４により生成されるヌルパケット（Ｎｕｌｌ＿ＴＳＰ）を挿入することにより、レート調整した一定の速度の連結合成ＴＳを生成して出力する。
【００５６】
尚、上述の図５に示す合成部３に関する説明では、３セグメント形式の圧縮放送ＴＳや１セグメント形式の放送ＴＳのダミーバイトに第３付加情報Ｃに含まれる連結・合成ＴＳ区別情報、セグメント形式情報及び単位送信波情報を当該放送ＴＳのダミーバイトに多重した後、これらの３セグメント形式の圧縮放送ＴＳ及び１セグメント形式の放送ＴＳを合成するとして説明したが、３セグメント形式の圧縮放送ＴＳ及び１セグメント形式の放送ＴＳを合成した後に、３セグメント形式の圧縮放送ＴＳや１セグメント形式の放送ＴＳのダミーバイトに第３付加情報Ｃに含まれる連結・合成ＴＳ区別情報、セグメント形式情報及び単位送信波情報を多重するように構成してもよい。
【００５７】
尚、連結・合成ＴＳ区別情報、セグメント形式情報及び単位送信波情報のビット割り当てに関して、図６に例示するように、第３付加情報Ｃに含まれる連結・合成ＴＳ区別情報（第５ビット〜第７ビット）、セグメント形式情報（第４ビット）及び単位送信波情報（第０ビット〜第３ビット）とすることができる。
【００５８】
（第１実施形態における伝送パラメータに応じた抽出ＴＳＰテーブルの作成方法）
次に、抽出ＴＳＰテーブル格納部９３ａに予め格納しておく伝送パラメータに応じた抽出ＴＳＰテーブルの作成方法について述べる。３セグメント形式のＶＨＦ‐Ｌｏｗ帯マルチメディア放送は１セグメントと２セグメントの２つの階層（Ａ階層・Ｂ階層）で構成されることが予定されている。このため、放送ＴＳはＡ階層のＴＳＰ、Ｂ階層のＴＳＰ、ヌルパケットが連結された多重フレーム構造となる。尚、ヌルパケットは伝送パラメータによらず一定のクロックでＴＳＰのインタフェースをとるために挿入される。多重フレームに含まれるＴＳＰ数はモードとガードインターバル比により異なり、多重フレームにおける各階層のＴＳＰやヌルパケットの配置は、伝送パラメータ（モード、ガードインターバル比、各階層の変調方式、符号化率）により異なる。換言すれば、多重フレームにおける各階層のＴＳＰやヌルパケットの配置は、伝送するコンテンツによらず、伝送パラメータ（モード、ガードインターバル比、各階層の変調方式、符号化率）によって一意に定まる。
【００５９】
ここで、図７に１多重フレームに含まれるＴＳＰ数、図８にモード１、ガードインターバル１／４、Ａ階層ＱＰＳＫ（符号化率２／３）、Ｂ階層１６ＱＡＭ（符号化率１／２）の場合の放送ＴＳパケット配置を示す。放送ＴＳから圧縮放送ＴＳへデータ圧縮するには、１多重フレームに含まれる放送ＴＳパケット数の４分の１のヌルパケットを削除すればよい。遅延を少なくするためには、削除する放送ＴＳパケットを等間隔に分散させるのが望ましいが、Ａ階層及びＢ階層が等間隔で挿入されていないため、本実施形態では、予め、圧縮放送ＴＳとして構成するために抽出するＴＳＰのＴＳＰカウンタ値（即ち、放送ＴＳにおける削除しないＴＳＰのＴＳＰカウンタ値）を示す抽出ＴＳＰテーブルを作成して抽出ＴＳＰテーブル格納部９３ａに格納しておくようにする。
【００６０】
まず、削除するＴＳＰとして、遅延量を短くすることを鑑みて、ＴＳＰカウンタ値が４ｎ，４ｎ＋１，４ｎ＋２，４ｎ＋３（ｎ：正の整数）の４通りのうちのいずれかを持つＴＳＰを基準に削除対象のＴＳＰとすることが考えられる。これら４通りの削除基準のＴＳＰカウンタ値のそれぞれについて、削除するＴＳＰカウンタ値のＴＳＰの種類を確認していくことで、４通りの削除基準のうち最小の遅延量となるものを事前に決定することができる。例えば、ＴＳＰカウンタ値が４ｎを持つＴＳＰを基準に削除対象のＴＳＰとするとき、削除する放送ＴＳパケットがヌルパケットではなく、Ａ階層・Ｂ階層のＴＳＰとなるＴＳＰカウンタ値の際には、次のＴＳＰカウンタ値のＴＳＰを削除することとする。さらに続くＴＳＰについてもＡ階層、もしくはＢ階層であった場合、さらに次のＴＳＰカウンタ値のＴＳＰを削除することとする。このようにＴＳＰカウンタ値をシフトすることでヌルパケットのみを削除できるが、シフトするＴＳＰ量の最大値がＴＳバッファの大きさとなり、そのまま遅延量となる。そのため、ＴＳＰカウンタ値が４ｎを持つＴＳＰを基準に削除対象のＴＳＰとしたときの遅延量を把握することができる。同様に、ＴＳＰカウンタ値が４ｎ＋１，４ｎ＋２，４ｎ＋３を持つＴＳＰを基準に削除対象のＴＳＰとしたときのそれぞれの遅延量を把握することができる。したがって、４通りの削除基準のうちシフトするＴＳＰ量が最小となるものを予め選ぶことで、最小の遅延量となる抽出ＴＳＰテーブルを作成することができる。
【００６１】
具体的に、図８（モード１、ガードインターバル１／４、Ａ階層ＱＰＳＫ（符号化率２／３）、Ｂ階層１６ＱＡＭ（符号化率１／２））の放送ＴＳ配置を例にとって説明する。まず、削除するＴＳＰカウンタ値が４ｎ＋１に該当するＴＳＰを基準に削除するとして仮定した場合について考える。図８より、ＴＳＰカウンタ値が１（ｎ＝０）のＴＳＰ種類はヌルパケットなので削除できる。一方、ＴＳＰカウンタ値が１７（ｎ＝４）のＴＳＰ種類はＢ階層のＴＳＰなので削除せずに次のＴＳＰカウンタ値を調べると、ＴＳＰカウンタ値１８のＴＳＰ種類はヌルパケットとなるので、このパケットを削除する。このときシフト量は１パケット分となる。
【００６２】
また、ＴＳＰカウンタ値が３７（ｎ＝９）のＴＳＰ種類はＡ階層のＴＳＰなので、次のＴＳＰを調べると、さらにＢ階層のＴＳＰとなる。そこで、削除するＴＳＰのＴＳＰカウンタ値は３９となり、シフト量は２パケット分となる。このように確認していくと、削除するＴＳＰカウンタ値を４ｎ＋１と仮定した場合、最大シフト量は２パケットとなる。ＴＳバッファ量は２パケットに設定すればよい。削除するＴＳＰカウンタ値を４ｎ、４ｎ＋２としても最大シフト量は２パケットとなる。一方、削除するＴＳＰカウンタ値を４ｎ＋３と仮定すると、最大シフト量は１パケットで済む。従って、この伝送パラメータの削除するＴＳＰカウンタ値は４ｎ＋３を基準とすれば、遅延量を短くすることができる。以上の手順で作成した抽出ＴＳＰテーブルの一例を図９に示す。このように４通りの削除基準を仮定しても最大シフト量が同じ場合、いずれを選択してもよいが、例えばシフトする回数が少ないものを選ぶようにするのが好適である。
【００６３】
以上の要領で、抽出ＴＳＰテーブルを伝送パラメータごと、つまり３（モード）×４（ガードインターバル比）×３（Ａ階層の変調方式・内符号）×３（Ｂ階層の変調方式・内符号）＝１０８個の表を作成することができる。
【００６４】
また、地上デジタルテレビジョン放送、及びＶＨＦ‐Ｈｉｇｈ帯を利用したマルチメディア放送と同じように伝送する場合、放送ＴＳはＡ階層のＴＳＰ、Ｂ階層のＴＳＰ、ヌルパケットの他に、伝送パラメータ等のＴＭＣＣ情報を示すＩＩＰ、ＡＣデータ、事業者独自データを多重する無効階層のＴＳＰが存在する。これらのデータの多重位置は規格では定められていない。本実施形態では、削除する予定のＴＳＰがＩＩＰ、ＡＣデータ及び事業者独自データとなる場合がないように、付加情報の内容に応じて第１付加情報Ａ、第２付加情報Ｂ及び第３付加情報Ｃに分類し、第１付加情報Ａ、第２付加情報Ｂ及び第３付加情報Ｃの多重するタイミングを変えることにより、放送ＴＳの圧縮・伸長時の処理遅延を少なくすることができる。
【００６５】
以上のように、本実施形態のＳＴＬ／ＴＴＬ回線用送信システムは、複数種のセグメント形式の放送ＴＳについて所定のセグメント数以下で任意に連結し合成した連結合成ＴＳをＳＴＬ／ＴＴＬ回線にて送信する際に、当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施しつつ、付加情報の内容に応じて分類された第１付加情報Ａ、第２付加情報Ｂ及び第３付加情報Ｃのタイミングを変えて多重した圧縮放送ＴＳを生成し、この圧縮放送ＴＳと、当該複数種のセグメント形式の放送ＴＳのうちデータ圧縮を施していない放送ＴＳとを連結し、連結合成ＴＳを生成する。これにより、所定の伝送速度（例えば３２．５１Ｍｂｐｓ（＝５１２／６３×４Ｍｂｐｓ））以下で連結合成ＴＳを構成することができるので、地上デジタルテレビジョン放送と同様のＳＴＬ／ＴＴＬ回線を利用することができ、更に、当該圧縮放送ＴＳの伸長時における付加情報の遅延を最小化させることができるので、効率的な放送ＴＳ及び付加情報の伝送が可能となる。
【００６６】
（ＳＴＬ／ＴＴＬ回線用受信装置）
図１０は、本発明による第１実施形態のＳＴＬ／ＴＴＬ回線用受信装置１０の構成を示すブロック図である。本実施形態のＳＴＬ／ＴＴＬ回線用受信装置１０は、ＲＦ受信部１１と、ＳＴＬ／ＴＴＬ用伝送路復号部１２と、連結合成ＴＳに合成されているそれぞれの３セグメント形式の圧縮放送ＴＳ及びそれぞれの１セグメント形式の放送ＴＳを分離する分離部１３と、それぞれの３セグメント形式の圧縮放送ＴＳに対して設けられるデータ伸長部１４とを備える。
【００６７】
ＲＦ受信部１１は、ＳＴＬ／ＴＴＬ回線用送信装置１から伝送される連結合成ＴＳのＲＦ信号の放送波を受信し、ＩＦ信号に変換してＳＴＬ／ＴＴＬ用伝送路復号部１２に出力する。
【００６８】
ＳＴＬ／ＴＴＬ用伝送路復号部１２は、ＩＦ信号に変換された連結合成ＴＳの伝送路符号化信号に対して所定の伝送路復号（例えばＡＲＩＢ  ＳＴＤ‐Ｂ３１と同様）を施し、復調・復号された連結合成ＴＳを分離部１３に出力する。
【００６９】
分離部１３は、まず、ＳＴＬ／ＴＴＬ回線用送信装置１における合成部３で追加されたヌルパケットを削除する。例えば、ＳＴＬ／ＴＴＬ回線用送信装置１における合成部３で多重フレームの先頭から数えて７個のＴＳＰにつき１個のヌルパケットが追加されている場合、分離部１３においても、多重フレームの先頭を検知したのちに、８個のＴＳＰにつき１個のヌルパケットを削除すればよい。
【００７０】
続いて、分離部１３は、ヌルパケットを削除した後、４個の３セグメント形式の圧縮放送ＴＳと２個の１セグメント形式の放送ＴＳに分離し、分離した４個の３セグメント形式の圧縮放送ＴＳの各々については、それぞれのデータ伸張部１４に出力し、分離した２個の１セグメント形式の放送ＴＳについては外部に出力する。
【００７１】
データ伸張部１４は、ＴＳＰカウンタ値に応じてヌルパケットを挿入して圧縮放送ＴＳを伸長し、３セグメント型式の放送ＴＳとして出力する。
【００７２】
図１１は、本実施形態のＳＴＬ／ＴＴＬ回線用受信装置１０におけるデータ伸長部１４の構成を示すブロック図である。データ伸長部１４は、ＴＳＰバッファ１５と、ＴＳＰカウンタ値抽出部１６と、ヌルパケット生成部１７と、ヌルパケット挿入部１８とを備える。３セグメント形式の圧縮放送ＴＳがそれぞれＴＳＰバッファ１５とＴＳＰカウンタ値抽出部１６に入力される。
【００７３】
ＴＳＰバッファ１５は、入力された３セグメント形式の圧縮放送ＴＳにおけるＴＳＰを一時格納する機能を有し、後述するヌルパケット挿入部１８の制御によりＴＳＰカウンタ値に応じてＴＳＰが読み出される。
【００７４】
ＴＳＰカウンタ値抽出部１６は、第１付加情報Ａ内のＴＳＰカウンタ値を抽出し、ヌルパケット挿入部１８に送出する。
【００７５】
ヌルパケット生成部１７は、ヌルパケット挿入部１８からのヌルパケット挿入要求に応じてヌルパケットを生成してヌルパケット挿入部１８に出力する。
【００７６】
ヌルパケット挿入部１８は、ＴＳＰカウンタ値が連続値となっているときにはＴＳＰバッファ１５から順番にＴＳＰを読み出し、ＴＳＰカウンタ値が連続値となっておらず抜けがあったときにはＴＳＰカウンタ値が連続値となるまでヌルパケット生成部１７から必要な分のヌルパケットを挿入して放送ＴＳを復元する。本実施形態では、３セグメント形式の放送ＴＳを圧縮した後に第２付加情報Ｂや第３付加情報Ｃが多重されているため、付加情報の位置を変えることなく放送ＴＳを復元することができ、送信側で用いた抽出ＴＳＰテーブルを保持する必要がない。
【００７７】
これにより６．１０Ｍｂｐｓ（＝５１２／６３／４×３Ｍｂｐｓ）の圧縮放送ＴＳが８．１２Ｍｂｐｓ（＝５１２／６３Ｍｂｐｓ）の放送ＴＳへ変換される。
【００７８】
このようにして、本実施形態のＳＴＬ／ＴＴＬ回線用受信装置１０は、複数種のセグメント形式の放送ＴＳについて所定のセグメント数以下で任意に連結し合成した連結合成ＴＳをＳＴＬ／ＴＴＬ回線にて受信する際に、圧縮放送ＴＳを含む連結合成ＴＳを分離し、この圧縮放送ＴＳのＴＳＰカウンタ値を監視して、予め定められたＴＳＰカウンタ値のヌルパケットを挿入することにより当該圧縮放送ＴＳについてデータ伸長を施して元の放送ＴＳを復元する。
【００７９】
以上の構成により、３セグメント形式の放送ＴＳを４個、１セグメント形式の放送ＴＳを２個で構成されたＶＨＦ‐Ｌｏｗ帯マルチメディア放送の連結合成ＴＳを地上デジタルテレビジョン放送のＳＴＬ／ＴＴＬの１回線で伝送することができる。
【００８０】
〔第２実施形態〕
次に、本発明による第２実施形態のＳＴＬ／ＴＴＬ回線用送信システムについて説明する。第１実施形態では、抽出ＴＳＰテーブルを伝送パラメータ毎に設定したため、１０８個の表が必要となった。第２実施形態では遅延時間の増加を最低限にしながら、抽出ＴＳＰテーブルの表の数を１２個（モード・ガードインターバル比の組み合わせのみ）に抑える抽出ＴＳＰテーブルを利用する例について説明する。尚、第２実施形態におけるＳＴＬ／ＴＴＬ回線用送信システムに関するＳＴＬ／ＴＴＬ回線用送信装置１、ＴＳ再多重装置６，７、付加情報挿入制御装置８及びＳＴＬ／ＴＴＬ回線用受信装置１０の各構成は第１実施形態と同じであるため、モード３、ガードインターバル１／８を例に、抽出ＴＳＰテーブルの表の数を低減させる伝送パラメータに応じた抽出ＴＳＰテーブルの作成方法について述べる。
【００８１】
（第２実施形態における伝送パラメータに応じた抽出ＴＳＰテーブルの作成方法）
具体的に、抽出ＴＳＰテーブル格納部９３ａに予め格納しておく伝送パラメータに応じた抽出ＴＳＰテーブルの作成方法について述べる。第１実施形態と同様に、削除するＴＳＰとして、遅延量を短くすることを鑑みて、ＴＳＰカウンタ値が４ｎ，４ｎ＋１，４ｎ＋２，４ｎ＋３（ｎ：正の整数）の４通りのうちのいずれかを持つＴＳＰを基準に削除対象のＴＳＰとすることが考えられる。これら４通りの削除基準のＴＳＰカウンタ値のそれぞれについて、削除するＴＳＰカウンタ値のＴＳＰの種類を確認していくことで、４通りの削除基準のうち最小の遅延量となるものを事前に決定することができる。
【００８２】
このとき、同じモード・ガードインターバル比の組み合わせを持つ伝送パラメータは、Ａ／Ｂ階層の変調方式・内符号の組み合わせがそれぞれ３通りあるため、９通り存在する。そこで、同じＴＳＰカウンタ値を持つ９個のＴＳＰの種類について確認していく。図１２にＴＳＰカウンタ値が０から３９のＴＳＰの種類を示す。削除対象となるＴＳＰカウンタ値のＴＳＰのうち、１つでもＡ階層・Ｂ階層のＴＳＰが存在する場合には次のＴＳＰカウンタ値のＴＳＰを削除することとする（例：図１２におけるＴＳＰカウンタ値＝５）。さらに続くＴＳＰについてもＡ階層、もしくはＢ階層のＴＳＰがある場合、さらに次のＴＳＰカウンタ値のＴＳＰとし、これを繰り返す。例えば図１２におけるＴＳＰカウンタ値＝２０の場合は３パケットシフトしたＴＳＰカウンタ値＝２３のヌルパケットを削除することとする。
【００８３】
このようにＴＳＰカウンタ値をシフトすることでヌルパケットのみを削除対象とすることができるが、第１実施形態と同様に、シフトするＴＳＰ量の最大値がＴＳバッファの大きさとなり、そのまま遅延量となる。そのため、４通りのＴＳＰカウンタ値のうち、シフトするＴＳＰ量が最小となるものを選ぶ。モード３、ガードインターバル１／８の場合、４ｎ、４ｎ＋１、４ｎ＋２については遅延量が３パケット分となるのに対して、４ｎ＋３を基本として抽出ＴＳＰテーブルを作成すれば、遅延量が２パケット分とすることができる。
【００８４】
以上の要領で、抽出ＴＳＰテーブルの表の数を削減した状態で、第１実施形態のＳＴＬ／ＴＴＬ回線用送信システム及びＳＴＬ／ＴＴＬ回線用受信装置１０のときと同様の動作を実現することができる。
【００８５】
次に、本発明による第１実施形態又は第２実施形態のＳＴＬ／ＴＴＬ回線用送信システム及びＳＴＬ／ＴＴＬ回線用受信装置１０において、３セグメント形式がｍ個、１セグメント形式がｋ個で構成される場合のヌルパケットの挿入によるレート調整について説明する。前述と同様に３セグメント形式の放送ＴＳがデータ圧縮部２で圧縮放送ＴＳへと変換され、合成部３に入力される３セグメント形式の圧縮放送ＴＳと１セグメント形式の放送ＴＳの伝送速度の合計は、５１２／６３／４×（３ｍ＋ｋ）Ｍｂｐｓとなる。ここで３ｍ＋ｋは伝送セグメント数と等しい。そこで、合成部３において、地上デジタルテレビジョン放送の放送ＴＳと同じ伝送速度とするには、伝送速度を１６／（３ｍ＋ｋ）倍となるように、つまり、３ｍ＋ｋ個のＴＳＰにつき１６−３ｍ−ｋ個のヌルパケットを挿入する。これにより、任意のセグメント構造で一定の伝送速度の連結合成ＴＳを伝送することが可能となる。
【００８６】
第１実施形態又は第２実施形態のＳＴＬ／ＴＴＬ回線用送信システムにおいて、所定の付加情報を３種類の付加情報に分類し、放送ＴＳ及び圧縮した放送ＴＳに対して個別に多重することにより、受信側で、当該圧縮した放送ＴＳの伸長時における遅延を最小化させることができる点について、比較例を基に詳細に説明する。
【００８７】
（比較例）
ＶＨＦ‐Ｌｏｗ帯マルチメディア放送を上記の地上デジタル放送の放送ＴＳによるフォーマットを用いて、地上デジタル放送と同等のＳＴＬ／ＴＴＬ回線を利用できる技法として、最大１４セグメントで構成されているＶＨＦ‐Ｌｏｗ帯マルチメディア放送の合成ＴＳ を地上デジタル放送の放送ＴＳ以下（３２．５１Ｍｂｐｓ（＝５１２／６３×４Ｍｂｐｓ）以下）となるように、３セグメント形式の放送ＴＳをデータ圧縮するにあたり、データ圧縮のために削除する予定のＴＳＰがＩＩＰ、ＡＣデータ及び事業者独自データとなる場合に、そのＴＳＰ以降で同じ多重フレーム内のヌルパケットと書き換えるように構成する例を比較例として説明する。
【００８８】
図１３は、比較例のＳＴＬ／ＴＴＬ回線用送信装置５０の構成を示すブロック図である。図１４は、比較例のＳＴＬ／ＴＴＬ回線用送信装置５０におけるデータ圧縮部２の構成を示すブロック図である。図１５は、比較例のＳＴＬ／ＴＴＬ回線用受信装置１０におけるデータ伸長部１４ａの構成を示すブロック図である。
【００８９】
図１３において、比較例のＳＴＬ／ＴＴＬ回線用送信装置５０は、セグメント構成によらず、合成ＴＳの伝送速度を地上デジタル放送の放送ＴＳ以下にするために、３セグメント形式の放送ＴＳに含まれるヌルパケットを削除し、圧縮放送ＴＳへ変換する機能を有する装置であり、データ圧縮部２と、合成部３と、ＳＴＬ／ＴＴＬ用伝送路符号化部４と、ＲＦ（Radio Frequency）送信部５とを備える。図１に示す本発明に係るＳＴＬ／ＴＴＬ回線用送信装置１と比較して、図１３に示すＳＴＬ／ＴＴＬ回線用送信装置５０は、本発明に係るデータ圧縮・付加情報多重部９の代わりに、図２に示す所定の付加情報のうち第１付加情報Ａ及び第２付加情報Ｂに属する付加情報を全て多重した３セグメント形式の放送ＴＳをデータ圧縮するデータ圧縮部２を備える点で相違する。
【００９０】
図１３に示すＳＴＬ／ＴＴＬ回線用送信装置５０において、データ圧縮部２は、８．１２Ｍｂｐｓ（＝５１２／６３Ｍｂｐｓ）の放送ＴＳを６．１０Ｍｂｐｓ（＝５１２／６３／４×３Ｍｂｐｓ）の圧縮放送ＴＳにデータ圧縮を行い、合成部３に出力する。ただし、この放送ＴＳには、図２に示す所定の付加情報のうち第１付加情報Ａ及び第２付加情報Ｂに属する付加情報の全てが多重されているものとする。
【００９１】
合成部３は、入力された４個の３セグメント形式の圧縮放送ＴＳ及び２個の１セグメント形式の放送ＴＳを合成し、ヌルパケットを追加するレート調整により一定の伝送速度を持つ１個の連結合成ＴＳを生成して、ＳＴＬ／ＴＴＬ用伝送路符号化部４に出力する。
【００９２】
ＳＴＬ／ＴＴＬ用伝送路符号化部４は、この連結合成ＴＳに対して所定の伝送路符号化（例えばＡＲＩＢ  ＳＴＤ‐Ｂ３１と同様）を施してＩＦ信号を生成し、ＲＦ送信部５に送出する。
【００９３】
ＲＦ送信部５は、伝送路符号化を施した連結合成ＴＳのＩＦ信号を予め定められた周波数のＲＦ信号に変換して放送波を生成し、外部に送出する。
【００９４】
ここで、図１４に示すように、比較例のＳＴＬ／ＴＴＬ回線用送信装置５０におけるデータ圧縮部２は、ＴＳＰバッファ２１、付加情報抽出部２２、抽出ＴＳＰテーブル選択制御部２３、抽出ＴＳＰテーブル格納部２３ａ及びＴＳＰ抽出部２４で構成される。
【００９５】
ＴＳＰバッファ２１は、入力された３セグメント形式の放送ＴＳにおける放送ＴＳパケット（ＴＳＰ）を一時格納する機能を有し、後述するＴＳＰ抽出部２４の制御により所定のＴＳＰカウンタ値を有するＴＳＰが読み出される。
【００９６】
付加情報抽出部２２は、放送ＴＳの無効階層ＴＳＰにおけるＩＩＰ、或いは各ＴＳＰのダミーバイト部分に含まれる付加情報を抽出し、付加情報に含まれる所定の伝送パラメータについては抽出ＴＳＰテーブル選択制御部２３に送出し、付加情報に含まれるＴＳＰカウンタ値についてはＴＳＰ抽出部２４に送出する。ここで、付加情報抽出部２２は、当該放送ＴＳについて、一旦、ＩＩＰから伝送パラメータを抽出して抽出ＴＳＰテーブル選択制御部２３に送出した際には、各ＴＳＰのダミーバイト部分に含まれるＴＳＰカウンタ値のみを抽出してＴＳＰ抽出部２４に送出すればよい。
【００９７】
抽出ＴＳＰテーブル選択制御部２３は、伝送パラメータに応じた複数の抽出ＴＳＰテーブル（前述した図９や図１２と同様）を予め格納している抽出ＴＳＰテーブル格納部２３ａから、付加情報抽出部２２で抽出された伝送パラメータに合致する抽出ＴＳＰテーブルを選択して読み出し、ＴＳＰ抽出部２４に出力する。
【００９８】
ＴＳＰ抽出部２４は、付加情報抽出部２２から出力された付加情報の中にあるＴＳＰカウンタ値と抽出ＴＳＰテーブル選択制御部２３から出力された抽出ＴＳＰテーブルを参照して、ＴＳＰバッファ２１より圧縮放送ＴＳとして抽出するＴＳＰを読み出して出力する。これにより８．１２Ｍｂｐｓ（＝５１２／６３Ｍｂｐｓ）の放送ＴＳが６．１０Ｍｂｐｓ（＝５１２／６３／４×３Ｍｂｐｓ）の圧縮放送ＴＳへ変換される。
【００９９】
このように、比較例のＳＴＬ／ＴＴＬ回線用送信装置５０においては、３セグメント形式の放送ＴＳがデータ圧縮部２へ入力され、付加情報抽出部２２で読み取った伝送パラメータに応じて抽出ＴＳＰテーブル選択制御部２３が抽出ＴＳＰテーブル格納部２３ａに格納されている抽出ＴＳＰテーブルを選択する。その後、選択した抽出ＴＳＰテーブルに従ってＴＳＰ抽出部２４でＴＳＰを抽出して圧縮放送ＴＳを生成するものである。この比較例では、入力される３セグメント形式の放送ＴＳに各ＴＳＰのダミーバイトやＩＩＰにて伝送する第１付加情報Ａ及び第２付加情報Ｂに属する付加情報の全ての情報が含まれる。一方で、データ圧縮部２におけるデータ圧縮時には伝送パラメータに応じたＴＳＰカウンタ値を持つヌルパケットを削除することになる。付加情報を多重するＴＳＰが予め決まっている場合は、抽出ＴＳＰテーブルを決定する際に付加情報が多重されているＴＳＰもＡ階層、Ｂ階層のＴＳＰと同じように扱うことで付加情報が圧縮時に削除されることはないが、付加情報の中には、ＡＣデータなど予め多重ＴＳＰが決まっていない情報が存在する。
【０１００】
したがって、本比較例では、削除する予定のＴＳＰがＩＩＰ、ＡＣデータ及び事業者独自データとなる場合は、そのＴＳＰ以降で同じ多重フレーム内のヌルパケットと書き換えることで、付加情報が失われずに伝送できるようにする必要がある。このため、この比較例の技法を用いると、削除するパケット位置に付加情報が多重されている場合は圧縮により多重位置が変更されるため、伸長する際に多重位置が変更されたパケット分だけ遅延が生じてしまう。
【０１０１】
更に、比較例のＳＴＬ／ＴＴＬ回線用送信装置５０から伝送される放送波を受信する比較例のＳＴＬ／ＴＴＬ回線用受信装置１０は、その概略構成として図１０に示すものと同様であるが、図１０に示すデータ伸長部１４に関して、図１５に示すデータ伸長部１４ａの構成とする必要がある。
【０１０２】
図１５において、データ伸長部１４ａは、ＴＳＰバッファ１５ａと、付加情報抽出部１６ａと、ヌルパケット生成部１７ａと、ＴＳＰ出力制御部１８ａと、抽出ＴＳＰテーブル選択制御部１９と、抽出ＴＳＰテーブル格納部１９ａとを備える。３セグメント形式の圧縮放送ＴＳがそれぞれＴＳＰバッファ１５ａと付加情報抽出部１６ａに入力される。
【０１０３】
ＴＳＰバッファ１５ａは、入力された３セグメント形式の圧縮放送ＴＳにおけるＴＳＰを一時格納する機能を有し、後述するＴＳＰ出力制御部１８ａの制御により所定のＴＳＰカウンタ値を有するＴＳＰが読み出される。
【０１０４】
付加情報抽出部１６ａは、放送ＴＳの無効階層ＴＳＰにおけるＩＩＰ、並びに各ＴＳＰのダミーバイト部分に含まれる付加情報を抽出し、付加情報に含まれる所定の伝送パラメータについては抽出ＴＳＰテーブル選択制御部１９に送出し、付加情報に含まれるＴＳＰカウンタ値についてはヌルパケット生成部１７ａ及びＴＳＰ出力制御部１８ａに送出する。ここで、付加情報抽出部１６ａは、当該圧縮放送ＴＳについて、一旦、ＩＩＰから伝送パラメータを抽出して抽出ＴＳＰテーブル選択制御部１８ａに送出した際には、各ＴＳＰのダミーバイト部分に含まれるＴＳＰカウンタ値のみを抽出してヌルパケット生成部１７ａ及びＴＳＰ出力制御部１８ａに送出すればよい。
【０１０５】
抽出ＴＳＰテーブル選択制御部１９は、比較例のＳＴＬ／ＴＴＬ回線用送信装置５０におけるデータ圧縮部２と同じ伝送パラメータに応じた複数の抽出ＴＳＰテーブルを予め格納している抽出ＴＳＰテーブル格納部１９ａから、付加情報抽出部１６ａで抽出された伝送パラメータに合致する抽出ＴＳＰテーブルを選択して読み出し、ヌルパケット生成部１７ａに出力する。
【０１０６】
ヌルパケット生成部１７ａは、付加情報抽出部１６ａから出力された付加情報の中にあるＴＳＰカウンタ値と抽出ＴＳＰテーブル選択制御部１９から出力された抽出ＴＳＰテーブルを参照して、ヌルパケットを生成してＴＳＰ出力制御部１８ａに出力する。
【０１０７】
ＴＳＰ出力制御部１８ａは、付加情報抽出部１６ａから出力された付加情報の中にあるＴＳＰカウンタ値を基に、ＴＳＰバッファ１５ａからの圧縮放送ＴＳにおけるＴＳＰを読み出しヌルパケット生成部１７ａからのヌルパケットを挿入して放送ＴＳを復元する。
【０１０８】
このように、比較例の伸長部１４ａでは、本発明に係る図１１に示すデータ伸長部１４と比較して、本比較例では、削除する予定のＴＳＰがＩＩＰ、ＡＣデータ及び事業者独自データとなる場合は、そのＴＳＰ以降で同じ多重フレーム内のヌルパケットと書き換えることができるようにする付加情報抽出部１６ａと、送信側と共有する抽出ＴＳＰテーブルに関する制御のための抽出ＴＳＰテーブル選択制御部１９及び抽出ＴＳＰテーブル格納部１９ａが必要になる。
【０１０９】
これに対して、本発明による第１実施形態又は第２実施形態のＳＴＬ／ＴＴＬ回線用送信システム及びＳＴＬ／ＴＴＬ回線用受信装置１０においては、３セグメント形式の放送ＴＳを圧縮した後に第２付加情報Ｂが多重されているため、付加情報の位置を変えることなく放送ＴＳを復元することができ、送信側で用いた抽出ＴＳＰテーブルを保持する必要がなくなるという利点を有する。
【０１１０】
次に、本発明による第３実施形態のＳＴＬ／ＴＴＬ回線用送信システム、ＳＴＬ／ＴＴＬ回線用送信装置、ＴＳ再多重装置、付加情報挿入制御装置及びＳＴＬ／ＴＴＬ回線用受信装置について説明する。
【０１１１】
〔第３実施形態〕
（ＳＴＬ／ＴＴＬ回線用送信システム）
図１６は、本発明による第３実施形態のＳＴＬ／ＴＴＬ回線用送信システムの構成を示すブロック図である。図１６において、図１に示すものと対応する構成要素には、同一の参照番号を付している。第３実施形態のＳＴＬ／ＴＴＬ回線用送信システムでは、付加情報挿入制御装置８を備える代わりに、付加情報挿入制御装置８ａを備え、更に、各３ｓｅｇ用ＴＳ再多重装置６が付加情報挿入制御部６２を備え、各１ｓｅｇ用ＴＳ再多重装置７が付加情報挿入制御部７２を備えるように構成した点で、図１に示す第１実施形態のＳＴＬ／ＴＴＬ回線用送信システムとは相違している。図１６に示すその他の構成要素は、図１に示す第１実施形態のＳＴＬ／ＴＴＬ回線用送信システムと同様に動作することから、その説明を省略する。また、第３実施形態におけるＳＴＬ／ＴＴＬ回線用送信装置１及びＳＴＬ／ＴＴＬ回線用受信装置１０も、第１実施形態のＳＴＬ／ＴＴＬ回線用送信装置１及びＳＴＬ／ＴＴＬ回線用受信装置１０と同じ構成とし、同様に動作することから、その説明を省略する。したがって、各３ｓｅｇ用ＴＳ再多重装置６が備える付加情報挿入制御部６２と、各１ｓｅｇ用ＴＳ再多重装置７が備える付加情報挿入制御部７２と、付加情報挿入制御装置８ａについて、詳細に説明する。
【０１１２】
図１６を参照するに、本実施形態のＳＴＬ／ＴＴＬ回線用送信システムは、ＳＴＬ／ＴＴＬ回線用送信装置１と、３セグメント形式のＴＳに対して図２にて例示する所定の付加情報から分類された第１付加情報Ａを多重して３セグメント形式の放送ＴＳを形成する３ｓｅｇ用ＴＳ再多重装置６ａ‐１，６ａ‐２，６ａ‐３，６ａ‐４と、１セグメント形式のＴＳに対して当該所定の付加情報のうち第１付加情報Ａ及び第２付加情報Ｂに属する情報を多重して１セグメント形式の放送ＴＳを形成する１ｓｅｇ用ＴＳ再多重装置７ａ‐１，７ａ‐２と、付加情報挿入制御装置８ａとを備える。
【０１１３】
３ｓｅｇ用ＴＳ再多重装置６ａ‐１，６ａ‐２，６ａ‐３，６ａ‐４は、単位送信波毎にＴＳ再多重処理を行う装置であり、それぞれ３セグメント形式のＴＳに対して所定の付加情報から分類された第１付加情報Ａを多重して３セグメント形式の放送ＴＳを形成して出力するＴＳ再多重部６１と、３セグメント形式のＴＳに対して所定の付加情報から分類された第１付加情報ＡをＴＳ再多重部６１に挿入するとともに、所定の付加情報から分類された第２付加情報ＢをＳＴＬ／ＴＴＬ回線用送信装置１におけるデータ圧縮・付加情報多重部９に送出する付加情報挿入制御部６２とを備える。
【０１１４】
１ｓｅｇ用ＴＳ再多重装置７ａ‐１，７ａ‐２は、単位送信波毎にＴＳ再多重処理を行う装置であり、それぞれ１セグメント形式のＴＳに対して図２にて例示する所定の付加情報のうち第１付加情報Ａ及び第２付加情報Ｂに属する情報を多重して１セグメント形式の放送ＴＳを形成して出力するＴＳ再多重部７１と、１セグメント形式のＴＳに対して当該所定の付加情報のうち第１付加情報Ａ及び第２付加情報Ｂに属する情報をＴＳ再多重部７１に挿入する付加情報挿入制御部７２とを備える。
【０１１５】
付加情報挿入制御装置８ａは、付加情報挿入制御部８２ａを備える。付加情報挿入制御部８２ａは、３セグメント形式の信号及び１セグメント形式の信号に関して、連結合成ＴＳの生成時に共通に多重するための第３付加情報Ｃを出力する。第３付加情報Ｃの多重場所は、第１実施形態と同様であり、その説明を省略する。
【０１１６】
これにより、第３実施形態のＳＴＬ／ＴＴＬ回線用送信システムは、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に伝送する際に、所定数の３セグメント形式の放送ＴＳと所定数の１セグメント形式の放送ＴＳとを多重連結して合計１４セグメントの連結合成ＴＳを生成して送信することができ、更に、各データ圧縮・付加情報多重部９にて、データ圧縮後に第２付加情報Ｂを多重することができることから、第１実施形態と同様の効果を有することができる。また、第３実施形態におけるＳＴＬ／ＴＴＬ回線用送信装置１にて、第１実施形態と同様の抽出ＴＳＰテーブルを利用することができる。
【０１１７】
以上、特定の実施形態を挙げて本発明を説明したが、本発明は前述の各実施形態に限定されるものではなく、その技術思想を逸脱しない範囲で種々変形可能である。例えば、上述の各実施形態では、ＳＴＬ／ＴＴＬ回線用送信装置１において、圧縮放送ＴＳとして抽出するＴＳＰのＴＳＰカウンタ値（即ち、放送ＴＳにおける削除しないＴＳＰのＴＳＰカウンタ値）を示す抽出ＴＳＰテーブルを保持する例を説明したが、この代わりに、圧縮放送ＴＳとして構成するために削除するＴＳＰのＴＳＰカウンタ値を示す抽出ＴＳＰテーブルを保持するようにしてもよい。また、上述の実施形態では、３ｓｅｇ用ＴＳ再多重装置６及び１ｓｅｇ用ＴＳ再多重装置７としてＴＳ再多重装置を区別して説明したが、総括して、ＴＳ再多重装置において、３セグメント形式の放送ＴＳについては第１付加情報Ａを多重する第１のＴＳ再多重部６１と、１セグメント形式の放送ＴＳについては第１付加情報Ａ及び第２付加情報Ｂの分類に属する付加情報を多重する第２のＴＳ再多重部７１のいずれか一方又は双方を備えるように構成すればよい。ここで、第１のＴＳ再多重部６１と第２のＴＳ再多重部７１の双方を備えるように構成したＴＳ再多重装置において、前述のセグメント形式判定部８１と同様な機能ブロックを設けて、放送ＴＳに関して３セグメント形式であるか１セグメント形式であるかを判定し、セグメント形式に応じて予め分類された付加情報を多重するように構成することができる。
【産業上の利用可能性】
【０１１８】
本発明によれば、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結合成ＴＳを構成することができるので、地上デジタルテレビジョン放送と同様のＳＴＬ／ＴＴＬ回線を利用する用途に有用である。
【符号の説明】
【０１１９】
１  ＳＴＬ／ＴＴＬ回線用送信装置
２  比較例のデータ圧縮部
３  合成部
４  ＳＴＬ／ＴＴＬ用伝送路符号化部
５  ＲＦ送信部
６，６‐１，６‐２，６‐３，６‐４  ３ｓｅｇ用ＴＳ再多重装置
６ａ‐１，６ａ‐２，６ａ‐３，６ａ‐４  ３ｓｅｇ用ＴＳ再多重装置
７，７‐１，７‐２  １ｓｅｇ用ＴＳ再多重装置
７ａ‐１，７ａ‐２  １ｓｅｇ用ＴＳ再多重装置
８，８ａ  付加情報挿入制御装置
９，９‐１，９‐２，９‐３，９‐４  データ圧縮・付加情報多重部
１０  ＳＴＬ／ＴＴＬ回線用受信装置
１１  ＲＦ受信部
１２  ＳＴＬ／ＴＴＬ用伝送路復号部
１３  分離部
１４  データ伸長部
１４ａ  比較例のデータ伸長部
１５  ＴＳＰバッファ
１５ａ  比較例のＴＳＰバッファ
１６  ＴＳＰカウンタ値抽出部
１６ａ  比較例の付加情報抽出部
１７  ヌルパケット生成部
１７ａ  比較例のヌルパケット生成部
１８  ヌルパケット挿入部
１８ａ  比較例のＴＳＰ出力制御部
１９  比較例の抽出ＴＳＰテーブル選択制御部
１９ａ  比較例の抽出ＴＳＰテーブル格納部
２１  比較例のＴＳＰバッファ
２２  比較例の付加情報抽出部
２３  比較例の抽出ＴＳＰテーブル選択制御部
２３ａ  比較例の抽出ＴＳＰテーブル格納部
２４  比較例のＴＳＰ抽出部
３１‐１，３１‐２，３１‐３，３１‐４  付加情報付加部
３２‐１，３２‐２  付加情報付加部
３３  ＴＳ合成部
３４  ヌルパケット生成部
３５  レート調整部
５０  比較例のＳＴＬ／ＴＴＬ回線用送信装置
６１  ＴＳ再多重部
６２  付加情報挿入制御部
７１  ＴＳ再多重部
７２  付加情報挿入制御部
８１  セグメント形式判定部
８２，８２ａ  付加情報挿入制御部
９１  ＴＳＰバッファ
９２  ＴＳＰカウンタ値抽出部
９３  抽出ＴＳＰテーブル選択制御部
９３ａ  抽出ＴＳＰテーブル格納部
９４  ＴＳＰ抽出部
９５  付加情報多重部
【図１】
2014103476.tif 000003
【図２】
2014103476.tif 000004
【図３】
2014103476.tif 000005
【図４】
2014103476.tif 000006
【図５】
2014103476.tif 000007
【図６】
2014103476.tif 000008
【図７】
2014103476.tif 000009
【図８】
2014103476.tif 000010
【図９】
2014103476.tif 000011
【図１０】
2014103476.tif 000012
【図１１】
2014103476.tif 000013
【図１２】
2014103476.tif 000014
【図１３】
2014103476.tif 000015
【図１４】
2014103476.tif 000016
【図１５】
2014103476.tif 000017
【図１６】
2014103476.tif 000018